(57)【要約】  【課題】大腿部が便座と接する領域の安定性を増して座り心地を向上させる腰掛式便器を提供することを目的とする。  【解決手段】便座５は卵型の開口部２の周囲に凸状の土手４が取り囲んで形成され、凸状の土手４は、使用者の臀部と大腿部を安定して快適に保持できるように複数の曲面で形成されている。いま、曲線２２、２３、２４は凸状の土手４の稜線である。大腿部が着座する領域５ｂにおいては、卵形状の開口部２の中心点２０から、前部方向に略α＝略４０度の線を描き、この線上における曲線２２、２３、２４と交わる交点を点２６、２７、２８とすると、点２６、２７間の距離Ｋ３は点２７、２８間の距離Ｋ４よりも短い。このように、大腿部が着座する領域５ｂにおける前記凸状の土手４は、前記便座５の内側の斜面（Ｋ３の近傍）よりも外側の斜面（Ｋ４の近傍）がなだらかに形成される。  【選択図】  図３
2006000491.tif 000002
【特許請求の範囲】
【請求項１】
略楕円形状の開口部を取り囲む凸状（山型の断面）の土手からなる便座と便器本体とからなる腰掛式便器であって、
前記便座の平面視の形状は、臀部が着座する領域を含む前記便座の後部の後端部から前記便座の中央部にかけて前記便座の全幅が連続的に拡張し、大腿部が着座する領域を含む前記便座の前部が前記便座の中央部の全幅を直径とする略半円形に形成され、
大腿部が着座する領域における前記凸状の土手が、大腿部の外形形状に対応するように、前記凸状の土手の高さが連続的に曲面形状に抉られて形成されることを特徴とする腰掛式便器。
【請求項２】
請求項１に記載の腰掛式便器であって、
前記便座の、大腿部が着座する領域における前記凸状の土手は、前記便座の内側の斜面よりも外側の斜面がなだらかに形成され、この外側の斜面は、大腿部が前記便座から離れる位置において、前記斜面の高さが最低高さとなるように形成されることを特徴とする腰掛式便器。
【請求項３】
請求項１又は請求項２に記載の腰掛式便器であって、前記便座の裏側の外周端部近傍に設けた複数の便座脚を保持するように、平面視で前記便器本体の形状を前記便座の外形と略同形状に形成することを特徴とする腰掛式便器。
【発明の詳細な説明】
【技術分野】
【０００１】
本発明は、腰掛式便器（洋式便器）に関し、使用者が快適に着座して用便することができる技術に関する。
【背景技術】
【０００２】
従来、腰掛式便器（洋式便器）の機能性に関して、便器本体においては用便後の便をいかに清潔に効率良く流すかということに主眼が置かれていた。    
また、便座においては、快適に臀部が着座しやすいように凸状（山型の断面）の土手の形状にするとともに、特に冬場に使用者が着座したとき臀部に感じる冷たさを解消するために便座にヒーター等が装着されることが知られている。
【０００３】
ここで、従来、市場に出回っている便器本体５１の形状は、図５（ａ）に示すように、日本工業規格（ＪＩＳ―Ａ５２０７−１９９５）において定められている形状をベースに設計されており、ＪＩＳにおける各寸法は、長さＰ＝４７０ｍｍ、幅Ｑ＝３５５ｍｍ、大腿部の領域の半径Ｒ＝３４３ｍｍ、前端部５０の半径Ｓ＝１２０ｍｍである。
【０００４】
そして、便器本体５１は卵型の形状で、臀部が着座する領域５１ａと大腿部が着座する領域５１ｂの中間点Ｑ１が便器本体の中心として最大の幅Ｑになるように形成され、大腿部が着座する領域５１ｂにおける幅Ｑは前端部５０に亘って先細りの形状である。そして、臀部が着座する領域５１ａの便器幅は特に定められていない。このように、日本工業規格の規格によれば、特に便器本体５１の前部を重点に規定している。
【０００５】
図５（ｂ）に示すように、近年の便器本体５１の形状は、便器本体５１の前部を日本工業規格の規格に基づく形状とし、後部は用便後に紙を使用しなくても洗浄できるウオッシュレット等の高機能性を装備する為のスペース確保、或いはデザイン的な見地から、中間点Ｑ１から後部にかけて幅Ｑをそのまま平行に伸ばす形状が多い。
【０００６】
そして、便座５２の外形は、図５（ｃ）に示すように、便器本体５１の外形と略同様に形成され、臀部が着座する領域５２ａと大腿部が着座する領域５２ｂの中間点Ｔ１から臀部の領域５２ａ及び便座取付穴中心までは便座の幅Ｔは平行（端部Ｔ２、端部Ｔ３）に延長される。そして、大腿部の領域５２ｂでは中間点Ｔ１から前端部５４近傍に亘って先細りの形状である。
【０００７】
ところが、この先細りの形状では、大腿部が便座と接する着座面積が充分に確保することができないので、安定感が得られず、座り心地（ホールド感）が快適でなく、また大腿部に局部的な荷重が集中して長時間座ると足がしびれるという問題があった。
【０００８】
この問題を解決する手段として、大腿部が便座と接する領域の面積を広くすることが考えられる。
【０００９】
図６（特許文献１）に示すように、本願とは課題が異なるが、便座６０の幅を全域平行にする構成が図に開示されており、この構成であれば大腿部の着座面積を広くすることができる。
【特許文献１】特開平９−１３４７４号公報
【発明の開示】
【発明が解決しようとする課題】
【００１０】
ところが、特許文献１の便座では、大腿部の着座面積を広くすることができるが、便座の構造が平板状であるため、大腿部が便座と接する領域が不安定であり座り心地が悪いという問題があった。
【００１１】
そこで、本発明は、便座の幅を広くして、大腿部が着座する着座面積を広くするとともに、便座を大腿部の外形形状に対応した形状にして、大腿部が便座と接する領域の荷重を分散して安定性を増すとともに座り心地を向上させることができる腰掛式便器を提供することを目的とする。
【課題を解決するための手段】
【００１２】
請求項１の発明は、中央部の卵形の開口を取り囲む凸状（断面）の土手からなる便座と便器本体とからなる腰掛式便器であって、前記便座の平面視の外形形状は、臀部が着座する領域としての前記便座の後部が前記便座の後端部から前記便座の略中央部にかけて連続的に幅広に拡張し、大腿部が着座する領域としての前記便座の前部が略半円形に形成され、大腿部が着座する領域における前記凸状の土手が、大腿部の外形形状に略対応するように、前記凸状の土手の高さが連続的に曲面形状に抉られて形成されることを特徴とする。
【００１３】
この腰掛式便器では、便座の後部が便座の後端部から便座の略中央部にかけて連続的に幅広に拡張するので、大腿部が着座する領域の便座の面積を広くすることができる。また、大腿部の外形形状に対応するように、前記凸状の土手の高さが連続的に曲面状に抉られて形成されるので、大腿部の外形形状に対応した便座形状にできる。
【００１４】
請求項２の発明は、請求項１に記載の腰掛式便器であって、前記便座の、大腿部が着座する領域における前記凸状の土手は、前記便座の内側の斜面よりも外側の斜面がなだらかに形成され、この外側の斜面は、大腿部が前記便座から離れる位置において、斜面の高さが最低高さとなるように形成されることを特徴とする。
【００１５】
この腰掛式便器では、便座が大腿部の外形形状に対応した形状にできる。また、自然に大腿部が下方に延びる方向に斜面を形成することができる。
【００１６】
請求項３の発明は、請求項１又は請求項２に記載の腰掛式便器であって、前記便座の裏側の外周端部近傍に設けた複数の便座脚を保持するように、前記便器本体の形状を平面視で前記便座の外形と略同形状に形成することを特徴とする。
【００１７】
この腰掛式便器では、便器本体の前部の幅が広く略円形形状に形成される。
【発明の効果】
【００１８】
請求項１の発明によれば、便座の大腿部が着座する面積を広くすることができる。また、便座が大腿部の外形形状に対応した形状にできる。このため、大腿部が便座と接する領域の荷重が分散できて、安定性を増すとともに、座り心地を向上させることができる。
【００１９】
請求項２の発明によれば、便座が大腿部の外形形状に対応した形状になり、着座面積を広くすることができる。また、大腿部が下方に延びる方向に斜面を形成することができる。このため、大腿部が便座と接する領域の安定性を増すとともに、荷重を分散して座り心地を向上させることができる。
【００２０】
請求項３の発明によれば、便器本体の前部が略円形形状に形成されて前部の幅が広くなる。このため、便器本体の洗浄水による旋回洗浄における洗浄効果が向上する。小便をするときに、幅が広くなるので小便が飛散することがなくなる。
【発明を実施するための最良の形態】
【００２１】
以下に、本発明の実施形態を図に基づいて説明する。
【００２２】
＜腰掛式便器の構成＞  
図１、２に示すように、本発明の実施形態における腰掛式便器１は、中央領域２に設けられる略楕円形状の開口部２を取り囲む凸状（断面）の土手４からなる便座５と便器本体６とから構成される。
【００２３】
前記便座５の平面視の外形形状は、臀部が着座する領域を含む前記便座５の後部７の後端部８から前記便座５の中央部９にかけて前記便座５の全幅１０が連続的に拡張し、大腿部が着座する領域５ｂを含む前記便座５の前部１１が前記便座５の中央部９の全幅１０を直径とする略半円形に形成される。
【００２４】
そして、大腿部が着座する領域５ｂにおける前記凸状の土手４は、大腿部の外形形状に対応するように、前記土手４（高さＨ）が連続的に曲面形状Ｍに抉られて形成される。
【００２５】
便座５はヒンジ部３０によって腰掛式便器１の後端部８に開閉自在に固着される。さらに、便器蓋３１も同様に便座５を覆うようにヒンジ部３２によって閉蓋できるようになっている。
【００２６】
ここで後端部の幅Ｅは使用者の臀部の大きさに対応するので、図５（ｃ）で説明した従来の腰掛式便器の便座の幅Ｔと略同じ幅である。さらに、中央領域２の略楕円形状の開口部２は臀部が便座に安定して保持されるとともに大便が安定して通過できる大きさが求められるので、この開口部２の形状や寸法は従来の形状と略同等である。
【００２７】
このことから、本発明の実施形態における便座５は、後端部８から便座５の中央部９にかけて便座５の全幅１０が連続的に拡張するので、従来の便座に比べて、便座５の前部１１の両端が迫り出した形状であるため、大腿部が着座する領域５ｂの面積を広くすることができる。
【００２８】
便座の前部の外周部分は略半円形に形成されるが、この形状に合わせて、便座の裏側の外周端部近傍に設けた複数の便座脚３４を保持できるように、便器本体の形状も前記便座の外形形状と略同じ形状に形成される。
【００２９】
図３（ａ）、（ｂ）に示すように、便座５の平面形状は、例えば、後端部８の幅Ｅ＝略３５５ｍｍ、全幅Ｆ＝略３９０ｍｍ、全長（便座取付穴中心を基準として）Ｇ＝略４４０ｍｍ，略楕円形状（卵型）の開口部２の横幅Ｅ１＝略２０５ｍｍ，全長Ｇ１＝略３１５ｍｍである。
【００３０】
便座５は略楕円形状（卵型）の開口部２の周囲に凸状の土手４が取り囲んで形成され、凸状の土手４は、使用者の大腿部を安定して快適に保持できるように曲面Ｍに形成されている。
【００３１】
いま、便座５の表面の曲面を、開口部２を取り囲む５本の曲線２１、２２、２３、２４、２５を用いて説明する。曲線２１は便座５の内輪郭線、曲線２５は便座５の外輪郭線である。曲線２２、２３、２４は凸状の土手４の稜線（稜線であって、等高線ではない）である。
【００３２】
ここで、臀部が着座する領域５ａにおいては、曲線２３が便座５の幅方向に広がっているので、曲線２１、２３間の長さが、幅方向の距離Ｋ１は長さ方向の長さＫ２よりも長い。このため、臀部の形状に対応して幅方向になだらかな曲面傾斜を形成している。
【００３３】
大腿部が着座する領域５ｂにおいては、卵型の開口部２の中心点２０（ここでは、横幅Ｅ１が最大幅である近傍位置を中心とする）から、前部方向に略α＝略４０度の直線を描き、この直線上における曲線２２、２３、２４と交わる交点を点２６、２７、２８とすると、点２６、２７間の距離Ｋ３は点２７、２８間の距離Ｋ４よりも短い。
【００３４】
このため、大腿部が着座する領域５ｂにおける前記凸状の土手４は、前記便座５の内側の斜面（Ｋ３の近傍）よりも外側の斜面（Ｋ４の近傍）がなだらかに形成される。
【００３５】
そして、大腿部が便座５に着座する位置である点２７の近傍領域が、凸状の土手４の稜線としての曲線２３の高さが一番低く形成される。そして、大腿部が便座５から離れる位置としての曲線２４の点２８において、斜面の高さＨが最低高さとなるように形成される。
【００３６】
ここで、曲線２１、２２間と曲線２３、２４間は、それぞれ便座５の内側と外側の凸状の土手４としての立ち上がりの面取り用であり、実質的に使用者の臀部や大腿部が着座することはない。
【００３７】
＜腰掛式便器の作用＞
上記の様に、便座の平面視の形状は、後端部から中央部にかけて全幅が連続的に拡張し、前部が前記便座の中央部の全幅を直径とする略半円形に形成される。さらに、大腿部が着座する領域における凸状の土手は、大腿部の外形形状に対応して曲面に形成される。
【００３８】
その曲面の形状は、大腿部の略中心として便座５に着座する位置である点２７の近傍領域が、凸状の土手４の稜線としての曲線２３の高さが一番低く形成される。そして、凸状の土手は内側の斜面よりも外側の斜面がなだらかに形成され、大腿部が便座５から離れる位置としての点２８において、斜面の高さＨが最低高さとなるように形成される。
【００３９】
そのため、図４に示すように、便座に座ったときに、自然状態の大腿部が着座する面積が増える（増加領域１６）とともに、大腿部の外形形状に対応して曲面に形成されるので、便座に着座したときの疲労感を軽減できる。
【００４０】
実験によれば、一番疲労感を感じると考えられる大腿部の中心領域１５における面圧は、従来品に比べて略２５％減少することができた。
【００４１】
尚、従来、大腿部が着座する領域が狭かったので、暖房効果があまり得られなかったが、本願発明によれば、大腿部が着座する便座の前部の外周部分の増加領域１６（従来の便座に比べて増える領域）に暖房用ヒーターを増設することができるので、大腿部の着座する領域を広範囲に暖房できて効率の良い暖房効果が得られる。
【００４２】
また、図２で説明したように、大腿部が着座する領域が増える便座の前部の外周部分は、略半円形に形成される。この形状に合わせて、便座の裏側の外周端部近傍に設けた複数の便座脚３４を保持するように便器本体の形状を前記便座の外形形状と略同じ形状に形成すると、便器本体６の前部１１は平面視で略円形形状になる。
【００４３】
そのため、便器の洗浄水が旋回しやすくなり便器のボール面の洗浄効果が向上する。また、便器本体の前部の間口が広くなるので小便時に飛び散ることがないので衛生的である。
【００４４】
以上、本発明の実施形態を図面に基づいて説明したが、上記の実施例はいずれも本発明の一例を示したものであり、本発明はこれらに限定されるべきでないということはいうまでもない。
【００４５】
たとえば、便座の形状は、略楕円形状の開口部を取り囲む凸状（山型の断面）の土手で形成されるが、必ずしも全周が連続したドーナツ状の便座でなくてもよく、Ｕ字型の便座であっても構わない。
【図面の簡単な説明】
【００４６】
【図１】本発明の実施形態における腰掛式便器の斜視図である。
【図２】本発明の実施形態における腰掛式便器の側面図である。
【図３】本発明の実施形態における腰掛式便器の、（ａ）は便座の平面図、（ｂ）は図３(ａ)におけるＡ−Ａ断面図である。
【図４】本発明の実施形態における腰掛式便器の、便座に着座する大腿部と臀部の平面図である。
【図５】従来の便器の、(ａ)は日本工業規格による平面（寸法）図、（ｂ）は一般的な便器の平面図、（ｃ）は図５（ｂ）に示す便器用の便座の平面図である。
【図６】従来の腰掛式便器を示す斜視図である。
【符号の説明】
【００４７】
１  腰掛式便器
２  開口部
４  土手
５  便座
５ｂ  領域
６  便器本体
８  中央部
２０  中心点
２２  曲線、
２３  曲線
２４  曲線
２６  点
２７  点
２８  点
Ｄ  高さ
Ｅ  幅
Ｅ１  横幅
Ｍ  曲面形状
Ｋ３  距離
Ｋ４  距離
【図１】
2006000491.tif 000003
【図２】
2006000491.tif 000004
【図３】
2006000491.tif 000005
【図４】
2006000491.tif 000006
【図５】
2006000491.tif 000007
【図６】
2006000491.tif 000008